(57)【特許請求の範囲】
【請求項１】
通信または情報処理の装置を構成する複数のボードとして，親ボードである共通部運用ボードと該親ボードにより制御される子ボードとを搭載したバックワイヤリングボードの診断方式において，
前記バックワイヤリングボードの中の未使用スロットに，バックワイヤリングボードからの信号を受信するコネクタと，該コネクタからの信号を折り返す転送手段と，前記転送手段からの信号をバックワイヤリングボードに送信するコネクタとを備えた被試験ボードを搭載し，
前記共通部運用ボードの運用機能部に，外部から入力される試験指令を復号するコマンド復号部と，前記コマンド復号部により試験指令を復号することにより駆動されて試験信号をバックワイヤリングボードに送出する試験信号生成部と，バックワイヤリングボードから送られてきた試験信号を受信して正常か否かを確認して確認結果を外部に出力する試験信号確認部とを含むバックワイヤリングボード試験部を備え，
前記バックワイヤリングボード試験部は，前記コマンド復号部の復号結果に応じて前記試験信号生成部から発生する試験信号を送出するバックワイヤリングボードへの経路を選択する送信選択部の制御を行う試験信号制御部と，前記バックワイヤリングボードからの試験信号を受け取る経路を選択して前記試験信号確認部に入力させる受信選択部の制御を行う試験信号制御部とを備えることを特徴とするバックワイヤリングボードの診断方式。
【請求項２】
通信または情報処理の装置を構成する複数のボードとして，親ボードである共通部運用ボードと該親ボードにより制御される子ボードとを搭載したバックワイヤリングボードの診断方式において，
搭載された２つの未使用スロットのボード間を相互接続する配線パターンを含むバックワイヤリングボードの前記未使用スロットに２つの被試験ボードを挿入し，
前記共通部運用ボードの運用機能部にバックワイヤリングボード試験部を設け，
該バックワイヤリングボード試験部は，外部から入力される試験指令を復号するコマンド復号部と，前記コマンド復号部でボード間の配線パターンの試験指令を復号することにより駆動されて試験の指令をバックワイヤリングボードに送出するコマンド送信インタフェースと，バックワイヤリングボードから送られてきた試験結果を表すコマンドを受信して外部に試験結果を送信するコマンド受信インタフェースとを備え，
前記２つの被試験ボードの一方は，前記共通部運用ボードのコマンド送信インタフェースから送られた試験の指令を受信するコマンド受信インタフェースと，コマンド受信インタフェースの指示により駆動されてバックワイヤリングボードのボード間の配線パターンに試験信号を出力する試験信号生成部とを備え，
被試験ボードの他方は，バックワイヤリングボードの前記ボード間の配線パターンからの試験信号を受信して正常か否かを確認して確認結果を出力する試験信号確認部と，前記試験信号確認部からの確認結果を受け取って，制御データとしてバックワイヤリングボードに出力するコマンド送信インタフェースとを備えることを特徴とするバックワイヤリングボードの診断方式。
【発明の詳細な説明】
【技術分野】
【０００１】
本発明は，通信装置や情報処理装置を構成するボードを接続するコネクタを備え，ボード間の配線パターンを備えるバックワイヤリングボードの診断方式に関する。
【０００２】
プリント板パネル（またはパケット）を搭載したボードを各スロットに収納するバックワイヤリングボードにはボード間の配線のための端子間を接続するためのパターン配線が設けられているが，バックワイヤリングボードの空きスロットには，冷却風の整流を目的としてブランクパネル（プリント板を含まないパネル）を搭載しているが，パターン配線に問題が生じる場合があり，その解決が望まれている。
【背景技術】
【０００３】
図７，図８は従来技術を説明する図であって，図７は複数のボードで構成する装置の説明図を示し，図８は装置側面の断面図である。図中，８０は通信装置や情報処理装置を構成する装置，８１は装置の前面側から挿入されるプリント板パネルを搭載した複数のボード，８２は各ボードのプリント板の端子間を相互接続するための多数のピンと，ピン間を接続する配線パターンが設けられたバックワイヤリングボード，８３はバックワイヤリングボード８２の前面のピン，８４はバックワイヤリングボード８２の裏面のピンである。
【０００４】
図７に示すように多数のプリント板のボードを搭載するためのコネクタを備えたバックワイヤリングボードを含む装置では，各ボードに収容されたプリント板の電子回路から発生する熱による装置内部の温度上昇を抑制するため，装置の下部から吸収した空気を上部に送風することによりプリント板を冷却する機構（図示省略）が設けられている。一方，このような装置８０の全てのバックワイヤリングボードの全てのピンに対してプリント板の電子回路を含むボードが接続されてなく，空きになっている部分（空きスロット）がある。そのような空き部分があると内部を通る冷却風が抜けてしまい，冷却の目的を達成できない。そのため，図８に示すように冷却風の整流を目的としてプリント板を搭載せずコネクタも備えない空き用ボード８５を挿入したり，プリント板を搭載しないがバックワイヤリングボード８２のピンと接続するコネクタ８７を備えた空き用ボード８６を挿入する。
【０００５】
このように風冷により装置内の温度上昇を抑制する場合，外部から吸い込む空気中に微細な異物が含まれ，その異物の中には金属を含む繊維片（床のカーペット等の素材として使用されている）が含まれており，そのような異物がバックワイヤリングボードのピンとピンの隙間に入って，ピンの間を短絡させたり，地絡（接地）させる場合がある。
【０００６】
図８のＡ．は運用中の装置８０の未使用スロットに冷却風の整流を目的とした空き用ボード８５を装置８０内に搭載した場合であり，該当するスロットのバックワイヤリングボード８２の前面ピン８３の一部に異物８８ａが付着し，ボード裏面のピン８４の一部に異物８８ｂが付着するなどしてパターンショートが発生していた。
【０００７】
また，図８のＢ．はプリント板を搭載しないでコネクタ８７を備えた空き用ボード８６を，バックワイヤリングボードのコネクタ８９と嵌合させて，装置８０に取付けた時の断面図であり，この場合もバックワイヤリングボード８２の裏面ピン８４の一部に異物８８ｃが付着する等により，パターンショートが発生する場合がある。
【０００８】
複数のプリント板パッケージを搭載するコネクタを備え，配線に必要な端子間を配線パターンにより接続したバックワイヤリングボードの布線を装置の出荷前や，装置を運用する前に試験する従来の技術として，の布線試験方式として，バックワイヤリングボード上の試験される配線パターンのアドレスを指定するアドレス展開回路と，指定された配線パターンの一端から試験信号を送出し，他端から試験信号を受信するドライブ手段，レシーブ手段を持つテスト回路をそれぞれ備えたテストカードを，多数個バックワイヤリングボード上の所定の位置に装着し，バックワイヤリングボード上に各種信号線と試験用の配線パターンをディジーチェイン接続した布線を設け，外部の試験器から試験された配線パターンのアドレスを指定し，テスト回路が指定された配線パターンに試験信号を送出し，指定された配線パターンの他端へ試験信号が到達していることを各種信号線とディジーチェイン接続の布線を介して確認し，バックワイヤリングボードの配線パターンが正常に布線されているかを確認する技術が知られている（特許文献１参照）。
【特許文献１】特開平２−９１５８１号公報
【発明の開示】
【発明が解決しようとする課題】
【０００９】
上記図８に示すように，装置を構成するバックワイヤリングボードのピンの間に金属性（導電性）の異物が付着した場合，バックワイヤリングボードのパターンショートや，パターン断線が生じた場合，これらを検知する手段がなく，装置の運用中は障害が潜在化し，運用ボードの増設作業時に初めて故障が表面化していたため増設作業自体にかなりの時間を要していた。また，この場合，バックワイヤリングボードに故障原因があるのか，増設した運用ボードに故障原因があるのかといった，故障切り分け時間にも多くの時間を要していた。
【００１０】
また，上記特許文献１の技術は，通信装置等を構成するバックワイヤリングボードの布線試験のために，多数のテスト回路をバックワイヤリングボードの各位置（スロット）に装着して試験を行うものであり，通信装置や情報処理装置としての運用状態でバックワイヤリングボードのパターンショートやパターン断線の定期的な試験で検出することができない。
【００１１】
本発明は通信システムや情報処理システムを構成するバックワイヤリングボードを含む装置において，運用中にバックワイヤリングボードの試験を可能にすることができるバックワイヤリングボードの診断方式を提供することを目的とする。
【課題を解決するための手段】
【００１２】
図１は本発明の第１の原理構成を示し，この構成は親ボードと子ボード間のバックワイヤリングボードの布線の試験機能を備える。図中，１は通信システムや情報処理システムを構成するバックワイヤリングボードのスロットに挿入される複数のボードの中で他のボード（子ボードと呼ばれる）に対して電源制御や，各種の制御等を行う機能を持つボードとして知られた共通部運用ボード（制御ボードまたは親ボードとも呼ばれる），１０は外部からの指令を受け取って親ボードとして運用上の制御機能を備えた運用機能部，１１はバックワイヤリングボード試験部，１１ａはコマンド復号部，１１ｂは試験信号生成部，１１ｃは受信した試験信号が正常であるか否かを確認する試験信号確認部，１２はネットワーク側と接続するコネクタ，１３ａ，１３ｂはバックワイヤリングボードと接続するコネクタ，２はバックワイヤリングボード，２０，２１はバックワイヤリングボード２内の配線パターン，３−１，３−２はバックワイヤリングボード２の空きスロットに挿入されて試験信号を転送する構成を備える被試験ボード（スレーブ（Slave)ボードとも呼ばれる），３０は試験信号をコネクタ３１ａから受信すると，コネクタ３１ｂに送出する転送路により構成する試験信号転送手段，３１ａ，３１ｂはバックワイヤリングボード２と接続するコネクタ，４はネットワーク，５は試験の制御を行うコンピュータ装置等の指令装置である。
【００１３】
図２は本発明の第２の原理構成を示し，この第２の原理構成は子ボード同士の間を接続するバックワイヤリングボードの布線の試験を含む試験機能を備える。図中，１，１０，１２，１３ａ，１３ｂ，２，４，５は上記図１と同一の各符号と同じものであり，説明を省略する。図２の運用機能部１０の中の１４は子ボード間の布線の試験機能を備えたバックワイヤリングボード試験部，１４ａはコマンド復号部，１４ｂは対被試験ボードのコマンド送信インタフェース，１４ｃは対被試験ボードのコマンド受信インタフェースである。バックワイヤリングボード２の中の２２はボード間接続の配線パターンを表し，６−１，６−２はボード間の接続を備える被試験ボード，６ａは対共通部用ボードのコマンド受信インタフェース，６ｂは試験信号生成部，６ｃは試験信号確認部，６ｄは対共通部運用ボードのコマンド送信インタフェースである。
【００１４】
図１に示す本発明の第１の原理構成では，指令装置５からネットワーク４を介してバックワイヤリングボード２のスロットに挿入された共通部運用ボード１に対して試験を行うボードとコネクタを指定してバックワイヤリングボード２の試験を行うことを指示するコマンドを送信すると，運用機能部１０のバックワイヤリングボード試験部１１のコマンド復号部１１ａでコマンドを復号することで，試験の対象となるボードとコネクタを識別し，該当するボードと接続するコネクタ１３を選択し，試験信号生成部１１ｂを駆動することで，特定の信号パターンにより構成する試験信号を送出させる。この試験信号はコネクタ１３ａからバックワイヤリングボード２の配線パターン２０を通って対象となる被試験ボード（この説明では被試験ボード３−１とする）のコネクタ３１ａに達し，被試験ボード３−１内の試験信号転送手段３０を通って，コネクタ３１ｂからバックワイヤリングボード２の中の配線パターン２１を通って運用機能部１０のバックワイヤリングボード試験部１１に設けた試験信号確認部１１ｃで受け取って，特定のパターンであるか検出して正常性を確認することで，試験の対象となったバックワイヤリングボード２の指定された接続パターンが正常に形成されているかを識別することで，指定されたバックワイヤリングボードの配線パターンが正常か異常（ショートや断線が発生している）かを診断することができ，その試験結果はネットワーク４を介して指令装置５に通知される。
【００１５】
試験信号生成部１１ｂから発生する試験信号はクロックに応じて決められた規則により変化する複数ビットからなる並列の信号パターンとし，その複数ビットの信号をバックワイヤリングボード２の配線パターン２０，被試験ボード３−１，バックワイヤリングボード２の配線パターン２１を介して転送し，試験信号確認部１１ｃにおいて受信し，受信した信号が決められた規則により変化するか確認することでチェックするようにしてもよい。
【００１６】
図２に示す本発明の第２の原理構成において，指令装置５からネットワーク４を介して親ボードである共通部運用ボード（親ボード）１の運用機能部１０に子ボード（被試験ボード）間を接続するバックワイヤリングボード２のボード間接続の配線パターンを試験することを指示するコマンドを送信すると，バックワイヤリングボード試験部１４のコマンド復号部１４ａでコマンドを復号する。この復号により子ボード間接続の配線パターンの試験の指示であることを表す出力が対被試験ボードのコマンド送信インタフェース１４ｂへ供給されると，ここから被試験ボード６−１に子ボード間の配線パターンの試験を実行させる指令データを発生する。この指令データは，コネクタ１３ａ，バックワイヤリングボード２，コネクタ６０ａを介して被試験ボード６−１内の対共通部運用ボードからのコマンドを受信するコマンド受信インタフェース６ａで受信され，ここで子ボード間の試験の指令であることを検出すると，試験信号生成部６ｂを駆動する。これにより試験信号生成部６ｂから発生した試験信号はコネクタ６０ｂからバックワイヤリングボード２内のボード間接続の配線パターン２２を通って他の子ボードである被試験ボード６−２のコネクタ６０ｃを通って試験信号確認部６ｃで受信され，特定の試験信号のパターンであるか否かを検出して正常性を確認する。この確認結果は対共通部運用ボードへのコマンド送信インタフェース６ｄに供給されると，確認結果データがコネクタ６０ｄ，バックワイヤリングボード２，コネクタ１３ｂを通って共通部運用ボード１に送信され，対被試験ボードのコマンド受信インタフェース１４ｃで受信されて，ここからコネクタ１２，ネットワーク４を介して指令装置５に送信される。
【発明の効果】
【００１７】
通信装置や情報処理装置のバックワイヤリングボードに対して本発明による試験を定期的に行うことにより，運用中の装置のバックワイヤリングボードのパターンショート，パターン断線といった故障の発見が即座に可能となり，故障が潜在化することを防止することができる。
【００１８】
また，運用ボードを増設した場合，本発明により事前に故障診断の試験を行うことにより，現地で増設作業を行う前に増設可否を決定することが可能になり，バックワイヤリングボード故障時に増設を行うといった，無駄な作業時間自体を無くすことができる。更に，バックワイヤリングボードに故障原因があるのか，増設した運用ボードに故障原因があるのか，といった故障切り分け時間自体を無くすことができる。
【発明を実施するための最良の形態】
【００１９】
図３は実施例１の構成を示す図である。この実施例１は上記図１に示す第１の原理構成に対応する。図中，１，１０，１１，２及び３−１，３−２，４は上記図１の同一符号の各部と同じであり，５は指令装置であるが，この実施例ではパーソナルコンピュータ（ＰＣで表示）により構成される。共通部運用ボード１の運用機能部１０内に備えられたバックワイヤリングボード試験部１１において，１１０は制御部，１１０ａはコマンドデコーダ（図１の１１ａに対応），１１０ｂは試験信号制御部，１１０ｃは試験信号生成部（図１の１１ｂに対応），１１０ｄは試験信号制御部，１１０ｅは試験信号確認部（図１の１１ｃに対応），１１１は送信選択部，１１２は受信選択部，１１３，１１４はバッファである。１２はネットワーク（ＮＷ）４側と接続するコネクタ，３１０，３１１は空きスロットに挿入された被試験ボード（スレーブボード）３−１に設けられたバックワイヤリングボード２と接続するコネクタ，１３２，１３３は同じく空きスロットに挿入された被試験ボード（スレーブボード）３−２に設けられたバックワイヤリングボード２と接続するコネクタである。被試験ボード３−１，３−２にはそれぞれ転送パターン３０−１，３０−２（図１の試験信号転送手段３０に対応）が設けられている。指令装置５はパーソナルコンピュータ（ＰＣ）により構成される。
【００２０】
図４は共通部運用ボードと被試験ボード及び運用ボードを搭載した状態を示す図である。この図には，通信装置または情報処理装置等の装置を構成する複数のボードが搭載されている様子を示し，この例では，ａ〜ｎの１４個のボードが各スロットに挿入され，この中のｇが共通部運用ボード（制御ボード）であり，ｃ，ｌ（エル）は被試験ボード（空きスロットに搭載されたスレーブボード）であり，その他のａ，ｂ，ｄ〜ｆ，ｈ〜ｋ，ｍ，ｎの合計１１個は装置を構成する電子回路を搭載した運用ボードである。
【００２１】
図３に示す実施例１の動作を説明すると，指令装置５からインターネット等のネットワーク４を介して通信装置または情報処理装置の共通部運用ボード１に対して配線パターンを指定した試験指示（コマンド）を送信する。この説明では，共通部運用ボード１と空きスロットの被試験ボード３−１を接続する配線パターンが指定されたものとする。試験指示（コマンド）は運用機能部１０に設けられたバックワイヤリングボード試験部１１のコマンドデコーダ１１０ａで復号され，試験の対象を含むバックワイヤリングボードの試験指示を含む指令であることが復号されると，試験信号生成部１１０ｃを駆動すると共に，試験の対象となる配線パターン（被試験ボード３−１と接続するバックワイヤリングボードの配線パターン）が解読されるので，試験信号制御部１１０ｂに対して試験の対象を指定する信号を送り，試験信号制御部１１０ｂはその信号を受けて送信選択部１１１を制御して，試験信号生成部１１０ｃから生成された試験信号を被試験ボード３−１と接続する配線パターンへ送出するよう選択させる。また，コマンドデコーダ１１０ａの解読結果の信号は試験信号制御部１１０ｄと試験信号確認部１１０ｅに供給され，試験信号制御部１１０ｄは解読結果により試験信号を受信する制御を行う受信選択部１１２に対して受信選択信号を送って，コネクタ１３１からバッファ１１３を通って受信される試験信号を選択するよう制御し，受信信号を試験信号確認部１１０ｅに供給させる。
【００２２】
こうして，試験信号生成部１１０ｃから生成された試験信号は，送信選択部１１１，バッファ１１３からコネクタ１３０，バックワイヤリングボード２の配線パターン，被試験ボード３−１のコネクタ３１０，転送パターン３０−１，コネクタ３１１を通ってバックワイヤリングボード２の配線パターン，コネクタ１３１，バッファ１１３，受信選択部１１２，試験信号確認部１１０ｅに達する。この試験信号確認部１１０ｅで試験信号生成部１１０ｃから生成した正しい信号であるか否かの確認を行うと，確認結果は試験結果通知信号としてコネクタ１２を通ってネットワーク４を通って指令装置５へ送られる。
【００２３】
試験の対象となるバックワイヤリングボード２の配線パターンが，被試験ボード３−２と接続するものである場合，試験信号制御部１１０ｂにより送信選択部１１１の選択動作を切り替えて試験信号がバッファ１１４，コネクタ１３２，バックワイヤリングボード２，被試験ボード３−２のコネクタ３２０へ至る経路を通るようにし，被試験ボード３−２内を転送された試験信号はコネクタ３２１，バックワイヤリングボード２，コネクタ１３３等を通って試験信号確認部１１０ｅへ至る。
【００２４】
図５は試験信号の具体例であり，図５に示す試験信号は図３の試験信号生成部１１０ｃから生成する試験信号の例である。この試験信号は，試験信号生成部がクロック信号とクロック信号の２進カウンタの出力を含む４ビットのダウンカウンタで構成されており，図４のａ．の試験信号１はクロック信号出力，ｂ．の試験信号２はクロック信号を２分周した信号出力，ｃ．の試験信号３は信号出力ｂを２分周した信号出力，ｄ．の試験信号４は信号出力ｃを更に２分周した信号出力である。このように，１クロック毎に規則的に変化する４ビットのパターンが試験信号生成部１１０ｃから発生して，４ビットの並列信号がバックワイヤリングボード２の配線パターン，被試験ボードで折り返し，バックワイヤリングボード２の配線パターンを通って試験信号確認部１１０ｅに入力する。この試験信号確認部１１０ｅにおいて，４ビットの信号がクロック信号に従って順番にダウンカウントを行うか確認することにより，バックワイヤリングボード２の配線パターンの正常性を確認することができる。
【００２５】
図６は実施例２の構成を示す図である。この実施例２は上記図２に示す第２の原理構成に対応する。図中，１，１０，１２，１４，２及び６−１，６−２，４，５は上記図２の同一符号の各部と同じであり，１３４〜１３９は共通部運用ボード１に設けられたバックワイヤリングボード２と接続するためのコネクタである。共通部運用ボード１の運用機能部１０内に備えられたバックワイヤリングボード試験部１４において，１４０は制御部である。制御部１４０内の，１４０ａはコマンドデコーダ（図２の１４ａに対応），１４０ｂは試験信号制御部，１４０ｃは試験信号生成部，１４０ｄは試験信号制御部，１４０ｅは試験信号確認部，１４１は送信選択部，１４２は受信選択部，１４３，１４４はバッファ，１４５はコマンド送信インタフェース（図２の１４ｂに対応），１４６はコマンド受信インタフェース（図２の１４ｃに対応）である。被試験ボード６−１，６−２において，６００，６０３，６０４及び６０７は子ボード間の配線パターンの試験を行う場合に使用するコネクタ，６０１と６０２は共通部運用ボード１と被試験ボード６−１の間を接続するバックワイヤリングボード２の配線パターンの試験を行うためのコネクタ，６０５と６０６は共通部運用ボード１と被試験ボード６−２の間を接続するバックワイヤリングボード２の配線パターンの試験を行うためのコネクタ，６１はコマンド受信インタフェース（図２の６ａに対応），６２は試験信号生成部（図２の６ｂに対応），６３は直並列変換部，６４は並直列変換部，６５は試験信号確認部（図２の６ｃ），６６はコマンド送信インタフェース（図２の６ｄに対応）である。
【００２６】
この実施例２の構成において，試験信号制御部１４０ｂ，試験信号生成部１４０ｃ，送信選択部１４１，バッファ１４３，コネクタ１３５，コネクタ６０１，６０２，コネクタ１３６，バッファ１４３，受信選択部１４２，試験信号制御部１４０ｄ，試験信号確認部１４０ｅの各部は上記図３に示す実施例１が備える共通部運用ボードと一つの被試験ボード（図６の６−１）の間を接続するバックワイヤリングボード２の配線パターンの試験を行う場合の構成に対応し，図６には共通部運用ボード１と被試験ボード６−２の間を接続するバックワイヤリングボード２の配線パターンの試験を行う場合の構成（図６の送信選択部１４１，バッファ１４４，コネクタ１３８，コネクタ６０５，６０６，コネクタ１３９，受信選択部１４２の経路を含む）も備えており，その他に子ボード間（被試験ボード間）の接続を行うバックワイヤリングボードの配線パターンを試験するための構成を備えるものであり，以下に説明する。
【００２７】
実施例２の構成における子ボード間の接続を行うバックワイヤリングボードの配線パターンの試験の動作を説明する。指令装置５からネットワーク４を介して被試験ボード６−１，６−２間の配線パターンを指定した試験指示（コマンド）を送信する。試験指示（コマンド）はバックワイヤリングボード試験部１１のコマンドデコーダ１４０ａで復号され，被試験ボード（子ボード）６−１，６−２間を接続するバックワイヤリングボードの配線パターンの試験指示を含む指令であることが解読されると，コマンド送信インタフェース１４５に直列の制御データが送られる。その制御データを受け取ったコマンド送信インタフェース１４５は，この直列の制御データを，クロック（ＣＬＫ），データ（ＤＡＴＡ），同期信号（ＳＹＮＣ）等の複数の並列信号に変換し，コネクタ１３４，バックワイヤリングボード２を経由して，被試験ボード６−１のコネクタ６００を通ってコマンド受信インタフェース６１で受信され，指令データから試験を実行するための制御信号を試験信号生成部６２に出力する。
【００２８】
試験信号生成部６２から直列の試験信号が生成されると，直並列変換部６３で並列信号に変換され，コネクタ６０３からバックワイヤリングボード２内のボード間接続の配線パターン２２を通って被試験ボード６−２のコネクタ６０７を通って並直列変換部６４に達し，ここで直列信号に変換されて試験信号確認部６５で受信される。試験信号確認部６５で受信した試験信号が予め決められたパターン（または決められた規則で変化するパターン）であるかの確認をする。確認結果は試験結果通知のため制御データとしてコマンド送信インタフェース６６に供給され，ここで並列の制御信号に変換されコネクタ６０４からバックワイヤリングボード２を通って共通部運用ボード１のコネクタ１３７を通ってコマンド受信インタフェース１４６に送られる。このコマンド受信インタフェース１４６で試験結果を受信すると，これを試験信号確認部１４０ｅに供給し，試験信号確認部１４０ｅからコネクタ１２を介してネットワーク４に送信され，指令装置５で試験結果を受信することができる。
【００２９】
図６に示す実施例２の構成により，被試験ボード６−１，６−２間を接続するバックワイヤリングボード２の中のボード間接続の配線パターン２２の正常性を試験することができると共に，上記実施例１に説明した被試験ボードと共通部運用ボードの間を接続するバックワイヤリングボード２のボード間接続の配線パターンの正常性を試験することができ，何れの試験を行うかは，外部からのコマンドを復号するコマンドデコーダ１４０ａの復号結果に応じて決まる。
【００３０】
（付記１）  通信または情報処理の装置を構成する複数のボードとして，親ボードである共通部運用ボードと該親ボードにより制御される子ボードとを搭載したバックワイヤリングボードの診断方式において，前記バックワイヤリングボードの中の未使用スロットに，バックワイヤリングボードからの信号を受信するコネクタと，該コネクタからの信号を折り返す転送手段と，前記転送手段からの信号をバックワイヤリングボードに送信するコネクタとを備えた被試験ボードを搭載し，前記共通部運用ボードの運用機能部に，外部から入力される試験指令を復号するコマンド復号部と，前記コマンド復号部により試験指令を復号することにより駆動されて試験信号をバックワイヤリングボードに送出する試験信号生成部と，バックワイヤリングボードから送られてきた試験信号を受信して正常か否かを確認して確認結果を外部に出力する試験信号確認部とを含むバックワイヤリングボード試験部を備えることを特徴とするバックワイヤリングボードの診断方式。
【００３１】
（付記２）  付記１において，前記バックワイヤリングボード試験部は，前記コマンド復号部の復号結果に応じて前記試験信号生成部から発生する試験信号を送出するバックワイヤリングボードへの経路を選択する送信選択部の制御を行う試験信号制御部と，前記バックワイヤリングボードからの試験信号を受け取る経路を選択して前記試験信号確認部に入力させる受信選択部の制御を行う試験信号制御部とを備えることを特徴とするバックワイヤリングボードの診断方式。
【００３２】
（付記３）  通信または情報処理の装置を構成する複数のボードとして，親ボードである共通部運用ボードと該親ボードにより制御される子ボードとを搭載したバックワイヤリングボードの診断方式において，搭載された２つの未使用スロットのボード間を相互接続する配線パターンを含むバックワイヤリングボードの前記未使用スロットに２つの被試験ボードを挿入し，前記共通部運用ボードの運用機能部にバックワイヤリングボード試験部を設け，前記バックワイヤリングボード試験部は，外部から入力される試験指令を復号するコマンド復号部と，前記コマンド復号部でボード間の配線パターンの試験指令を復号することにより駆動されて試験の指令をバックワイヤリングボードに送出するコマンド送信インタフェースと，バックワイヤリングボードから送られてきた試験結果を表すコマンドを受信して外部に試験結果を送信するコマンド受信インタフェースとを備え，前記２つの被試験ボードの一方は，前記共通部運用ボードのコマンド送信インタフェースから送られた試験の指令を受信するコマンド受信インタフェースと，コマンド受信インタフェースの指示により駆動されてバックワイヤリングボードのボード間の配線パターンに試験信号を出力する試験信号生成部とを備え，被試験ボードの他方は，バックワイヤリングボードの前記ボード間の配線パターンからの試験信号を受信して正常か否かを確認して確認結果を出力する試験信号確認部と，前記試験信号確認部からの確認結果を受け取って，制御データとしてバックワイヤリングボードに出力するコマンド送信インタフェースとを備えることを特徴とするバックワイヤリングボードの診断方式。
【００３３】
（付記４）  付記１または付記３の何れかにおいて，前記試験信号生成部は，クロック信号に応じてカウントを行う複数ビットで構成するカウンタが規則的に変化するカウント値を並列な複数経路に送信し，前記試験信号確認部は前記カウント値が規則的に変化するかの確認をすることにより前記並列な複数経路の正常性を確認できることを特徴とするバックワイヤリングボードの診断方式。
【００３４】
（付記５）  付記１または付記３の何れかにおいて，前記バックワイヤリングボードの試験を指示するコマンドは，前記共通部運用ボードと接続したネットワークを通して指令装置から入力され，前記試験により得られた確認結果はネットワークを通して前記指令装置に出力されることを特徴とするバックワイヤリングボードの診断方式。
【００３５】
（付記６）  付記３において，前記共通部運用ボードの運用機能部に試験信号生成部と，バックワイヤリングボードから送られてきた試験信号を受信して正常か否かを確認して確認結果を外部に出力する試験信号確認部とを設け，前記バックワイヤリングボードの中の未使用スロットに，バックワイヤリングボードからの信号を受信するコネクタと，該コネクタからの信号を折り返す転送手段と，前記転送手段からの信号をバックワイヤリングボードに送信するコネクタとを備えた被試験ボードを搭載し，前記バックワイヤリングボード試験部のコマンド復号部に外部から入力される試験指令を復号することにより，空きスロットに搭載された指定された被試験ボードと共通部運用ボードとの間の配線パターンの試験か，２つの被試験ボード間を接続するバックワイヤリングボード内の配線パターンの試験かを実行することを特徴とするバックワイヤリングボードの診断方式。
【図面の簡単な説明】
【００３６】
【図１】本発明の第１の原理構成を示す図である。
【図２】本発明の第２の原理構成を示す図である。
【図３】実施例１の構成を示す図である。
【図４】共通部運用ボードと被試験ボード及び運用ボードを搭載した状態を示す図である。
【図５】試験信号の具体例を示す図である。
【図６】実施例２の構成を示す図である。
【図７】複数のボードで構成する装置の説明図である。
【図８】装置側面の断面図である。
【符号の説明】
【００３７】
１        共通部運用ボード
１０      運用機能部
１１      バックワイヤリングボード試験部
１１ａ    コマンド復号部
１１ｂ    試験信号生成部
１１ｃ    試験信号確認部
１２      コネクタ
１３ａ，１３ｂ  コネクタ
２        バックワイヤリングボード
２０，２１  配線パターン
３−１，３−２  被試験ボード（スレーブボード）
３０      試験信号転送手段
３１ａ，３１ｂ  コネクタ
４        ネットワーク
５        指令装置
【図１】
0004828871.tif 000002
【図２】
0004828871.tif 000003
【図３】
0004828871.tif 000004
【図４】
0004828871.tif 000005
【図５】
0004828871.tif 000006
【図６】
0004828871.tif 000007
【図７】
0004828871.tif 000008
【図８】
0004828871.tif 000009